(57)【特許請求の範囲】
【請求項１】
除染済みの資材が無菌状態を維持したまま包装材により包装されてなる除染対象物を、室内と外界とが気密的に遮断された除染用密閉室内に置くと共に、過酸化水素水を蒸発させて過酸化水素ガスからなる除染用ガスを発生させ、前記除染用密閉室内に除染用ガスを投入し、投入した除染用ガスを除染用密閉室内で凝縮させて、除染用密閉室の内壁及び除染対象物の包装材外表面に凝縮液層を薄膜状に形成して除染用密閉室内及び除染対象物の包装材外表面を除染する除染方法であって、
凝縮液層の凝縮液がガス化し、当該ガスが包装材を浸透して内部の資材に達してしまうまでの時間よりも短い時間である、所定時間が経過すると、不飽和ガスを当該密閉室内に投入することにより、除染対象物の包装材外表面に一旦形成した凝縮液層を一部蒸発させる蒸発工程と、
蒸発工程実行後、再度除染用ガスを除染用密閉室内で凝縮させて、除染対象物の包装材外表面に凝縮液層を再形成する再凝縮工程と
からなる除染工程を所定回数だけ繰返し実行して、除染対象物の包装材外表面を除染することを特徴とする除染方法。
【請求項２】
除染用密閉室内と連通し、かつ室内が除染された包装材除去室を形成し、
両室を遮断状態として、除染用密閉室及び除染用密閉室内に置かれた除染対象物の包装材外表面を除染し、除染した後に、両室を遮断状態から連通状態として、除染された除染対象物を除染用密閉室から包装材除去室へ移送し、再び両室を遮断状態とした後、包装材除去室にて除染対象物の包装材を除去して内部の資材を取出すようにしたことを特徴とする請求項１記載の除染方法。
【請求項３】
室内と外界とが気密的に遮断され、除染済みの資材が無菌状態を維持したまま包装材により包装されてなる除染対象物が供給される除染用密閉室と、
過酸化水素水を蒸発させて過酸化水素ガスからなる除染用ガスを発生させ、該除染用ガスを除染用密閉室に投入するガス発生装置と、
除染用密閉室内と連通し、かつ室内が除染された包装材除去室と、
ガス発生装置に、除染用ガスを除染用密閉室に投入させて当該密閉室内で除染用ガスを凝縮させて、除染用密閉室の内壁及び除染対象物の包装材外表面に凝縮液層を薄膜状に形成することにより除染用密閉室内及び除染対象物の包装材外表面を除染する自動制御内容を具備した凝縮制御手段とを備え、除染対象物の包装材外表面を除染した後、除染対象物を除染用密閉室から包装材除去室へ移送し、包装材除去室で包装材を除去するものであり、
ガス発生装置が、過酸化水素水を蒸発させて過酸化水素ガスからなる除染用ガスを発生させると共に、除染用密閉室内で飽和しない不飽和ガスを発生する不飽和ガス投入手段を備えた連設無菌装置であって、
凝縮制御手段が、
除染用密閉室内に置かれた除染対象物の包装材外表面に凝縮液層を形成し、凝縮液層の凝縮液がガス化し、当該ガスが包装材を浸透して内部の資材に達してしまうまでの時間よりも短い時間である、所定時間が経過すると、不飽和ガス投入手段に、不飽和ガスを当該密閉室内に投入させて、除染対象物の包装材外表面に一旦形成した凝縮液層を所定時間経過後に一部蒸発させ、蒸発後、除染用ガスを再び凝縮させて除染対象物の包装材外表面に凝縮液層を再形成する一連の除染工程を所定回数だけ繰返し実行する自動制御内容を具備したことを特徴とする連設無菌装置。
【発明の詳細な説明】
【技術分野】
【０００１】
本発明は、密閉室に除染用ガスを投入することにより、当該密閉室内にある除染対象物を除染する方法、及び除染する装置に関する。
【背景技術】
【０００２】
密閉室内にある除染対象物を除染する方法としては、ガス発生装置により除染用ガスとしての過酸化水素ガスを発生させ、この過酸化水素ガスを密閉室内に投入して除染対象物に接触させる方法が知られている（例えば、特許文献１参照）。
【０００３】
一方、医薬品や医療用具を製造するために必要な種々の資材（例えば、プレフィルドシリンジを製造するために用いられる空のシリンジ外筒等）を、無菌状態を維持したまま包装材により包装して（図７参照）、流通させる構成が提案されている。
【０００４】
かかる構成は、包装材で包装した状態で資材を取引きし、実際に製造現場で資材を利用するときに、包装材の外表面を除染した状態で無菌室に置き、当該無菌室で包装材を除去して、内部の資材を無菌状態を維持したまま取出し、利用するものである。
【０００５】
【特許文献１】特公昭６１−４５４３号公報
【発明の開示】
【発明が解決しようとする課題】
【０００６】
しかしながら、上述の過酸化水素ガスを除染対象物に接触させる除染方法を、包装材の外表面を除染する場合に適用すると、過酸化水素ガスが包装材に浸透し、ついには内部の資材にまで達してしまう場合がある。このように資材に過酸化水素ガスが接触してしまうと、資材が変質したり、腐食されたりする場合があるため、過酸化水素ガスを包装材外表面に接触させて除染する方法は実際上行われていなかった。
【０００７】
そこで本発明は、内包される資材に影響を与えずに、包装材外表面を十分に除染することができる除染方法、及びそれを実現し得る装置を提供することを目的とする。
【課題を解決するための手段】
【０００８】
本発明は、除染済みの資材が無菌状態を維持したまま包装材により包装されてなる除染対象物を、室内と外界とが気密的に遮断された除染用密閉室内に置くと共に、除染用ガスが溶解した水溶液を蒸発させて除染用ガスを発生させ、前記除染用密閉室内に除染用ガスを投入し、投入した除染用ガスを除染用密閉室内で凝縮させて、除染用密閉室の内壁及び除染対象物の包装材外表面に凝縮液層を薄膜状に形成して除染用密閉室内及び除染対象物の包装材外表面を除染することを特徴とする除染方法である。
【０００９】
このように、気体である除染用ガスを包装材外表面に接触させずに、液体である凝縮液を接触させて除染する構成とすると、包装材の透過性が液体に対して低く気体に対して高い場合に、ガスを接触させる従来構成に比して除染成分が包装材に浸透し難くなる。したがって、本発明によれば除染成分により内部の資材が変質したりすることがない。また、この凝縮液層を形成する除染方法は、除染用ガスの凝縮量を管理することにより、除染対象物の除染レベルが適正に把握することができる。なお、上述の除染とは、化学Ｔ期除染、無菌、殺菌、滅菌等が含まれる。
【００１０】
また、水より沸点の高い除染用ガスが溶解した水溶液を蒸発させて除染用ガスを発生させる除染方法であって、除染対象物の包装材外表面に一旦形成した凝縮液層を所定時間経過後に一部、又は全部蒸発させる蒸発工程と、蒸発工程実行後、再度除染用ガスを除染用密閉室内で凝縮させて、除染対象物の包装材外表面に凝縮液層を再形成する再凝縮工程とからなる除染工程を所定回数だけ繰返し実行して、除染対象物の包装材外表面を除染する構成が提案される。
【００１１】
本発明にあって、凝縮液層の形成から所定時間経過後に実行する蒸発工程は、当該凝縮液層がガス化して発生した除染用ガスが包装材を浸透して内部の資材に達してしまう前に実行する。したがって、前記所定時間は、当該ガスが包装材を浸透して内部の資材に達してしまう時間より短い時間に設定される。かかる構成とすることにより、浸透を防止でき、資材の変質をより確実に回避できることとなる。また、かかる構成にあって、形成された凝縮液層の溶質（除染成分）濃度が高いほど、除染効果が高いことがわかっている。ここで、本発明に用いられる除染用ガスは、水より沸点が高いため、凝縮過程の初期段階では、高い溶質濃度（全水溶液量に対する溶解した除染用ガスの重量，体積，モル数の割合）の凝縮液層が形成され、その後、溶質濃度は低下し始める。このような状況の下、上述のように、一旦形成された凝縮液層を蒸発させる蒸発工程を実行することにより、溶質濃度の低下を阻止することが可能となる。これは、凝縮液層を蒸発させようとすると、凝縮液層に含まれる水が先に気化し、これに対し除染用ガスの凝縮液が凝縮液層に残留し、全体として凝縮液層の溶質濃度が高くなることによるものである。ここで、一旦形成された凝縮液層を全部蒸発させれば、濃度低下を完全に断つことが可能となり、一部のみ蒸発させれば、高濃度の凝縮液層を一部残留させることができる。さらに、本発明は、凝縮液層を再形成する再凝縮工程を実行することを特徴としている。かかる工程を実行することにより、改めて除染用ガスが凝縮することとなるため、再度、除染効果の高い高濃度の凝縮液層を形成することが可能となる。したがって、このように蒸発工程と再凝縮工程とからなる除染工程を繰返し実行することにより、資材を除染用ガスにより変質等させずに、かつ凝縮液層の溶質濃度が低下することを防止して高い溶質濃度の凝縮液層を形成維持することができ、高い除染効果を得ることもできる。
【００１２】
また、除染用密閉室内と連通し、かつ室内が除染された包装材除去室を形成し、両室を遮断状態として、除染用密閉室及び除染用密閉室内に置かれた除染対象物の包装材外表面を除染し、除染した後に、両室を遮断状態から連通状態として、除染された除染対象物を除染用密閉室から包装材除去室へ移送し、再び両室を遮断状態とした後、包装材除去室にて除染対象物の包装材を除去して内部の資材を取出すようにした構成が提案される。
【００１３】
かかる構成とすることにより、包装材除去室にて、無菌状態を維持したまま内包されていた資材を汚染されることなく取出すことができ、その後の作業を迅速かつ安全に実行することが可能となる。
【００１４】
また、本発明は、室内と外界とが気密的に遮断され、除染済みの資材が無菌状態を維持したまま包装材により包装されてなる除染対象物が供給される除染用密閉室と、水より沸点の高い除染用ガスが溶解した水溶液を蒸発させて除染用ガスを発生させ、該除染用ガスを除染用密閉室に投入するガス発生装置と、除染用密閉室内と連通し、かつ室内が除染された包装材除去室と、ガス発生装置に、除染用ガスを除染用密閉室に投入させて当該密閉室内で除染用ガスを凝縮させて、除染用密閉室の内壁及び除染対象物の包装材外表面に凝縮液層を薄膜状に形成することにより除染用密閉室内及び除染対象物の包装材外表面を除染する自動制御内容を具備した凝縮制御手段とを備え、除染対象物の包装材外表面を除染した後、除染対象物を除染用密閉室から包装材除去室へ移送し、包装材除去室で包装材を除去することを特徴とする連設無菌装置である。
【００１５】
かかる構成とすることにより、上述の理由から気体の除染用ガスよりも液体の凝縮液の方が包装材を浸透し難いため、除染成分により内部の資材が変質等したりすることがない。また、包装材除去室にて、無菌状態を維持したまま内包されていた資材を汚染されることなく取出すことができ、その後の作業を迅速かつ安全に実行することが可能となる。
【００１６】
また、ガス発生装置が、水より沸点の高い除染用ガスが溶解した水溶液を蒸発させて除染用ガスを発生させると共に、除染用密閉室内で飽和しない不飽和ガスを発生する不飽和ガス投入手段を備えた連設無菌装置であって、凝縮制御手段が、除染用密閉室内に置かれた除染対象物の包装材外表面に凝縮液層を形成し、その後、不飽和ガス投入手段に、不飽和ガスを当該密閉室内に投入させて、除染対象物の包装材外表面に一旦形成した凝縮液層を所定時間経過後に一部、又は全部蒸発させ、蒸発後、除染用ガスを再び凝縮させて除染対象物の包装材外表面に凝縮液層を再形成する一連の除染工程を所定回数だけ繰返し実行する自動制御内容を具備した構成が提案される。
【００１７】
このような蒸発工程を実行することにより、凝縮液層の凝縮液がガス化して当該ガスが包装材を浸透するということを回避することができる。また、一旦形成した凝縮液層を一部、又は全部蒸発させ、蒸発後、除染対象物の包装材外表面に凝縮液層を再形成する除染工程を繰返し実行することにより、凝縮液層の溶質濃度が低下することを防止することできると共に、高い溶質濃度の凝縮液層を形成することができ、高い除染効果を得ることもできる。なお、前記所定時間は、当該ガスが包装材を浸透して内部の資材に達してしまう時間より短い時間に定められる。
【００１８】
また、ガス発生装置が、過酸化水素ガスを発生させる構成が提案される。
【００１９】
かかる構成とすることにより、例えば紫外線による除染設備に比べて除染用密閉室の密閉構造が簡易となると共に、除染効果も安定する。また、かかる構成とすれば、除染対象物の大きさも制限されにくい。
【発明の効果】
【００２０】
本発明の除染方法は、包装材外表面に凝縮液層を薄膜状に形成して当該包装材外表面を除染する構成としたため、除染用ガスが包装材に浸透して内部の資材が変質等してしまうことを防止できる優れた効果がある。
【００２１】
さらに、除染対象物の包装材外表面に一旦形成した凝縮液層を所定時間経過後に蒸発させる蒸発工程と、蒸発工程実行後、再度凝縮液層を再形成する再凝縮工程とからなる除染工程を繰返し実行する構成とした場合は、凝縮液層の凝縮液がガス化して内部の資材を変質させることを防止できる効果があると共に、高濃度の凝縮液層を保持することができるため、包装材外表面を十分に除染することができる優れた効果がある。
【００２２】
また、包装材除去室を形成し、除染対象物を除染した後に、包装材除去室にて除染対象物の包装材を除去して内部の資材を取出すようにした場合には、包装材除去室で無菌状態を維持したまま資材を取出し、直ぐに資材についてその後の作業を進行することが可能となり、作業効率が飛躍的に向上する効果がある。
【００２３】
また、本発明の連設無菌装置は、包装材外表面に凝縮液層を薄膜状に形成して包装材外表面を除染する凝縮制御手段と、除染対象物が除染用密閉室から移送されて、包装材を除去する包装材除去室とを備えた構成としたため、除染用ガスにより内部の資材が侵されることがない。また、除染対象物を除染した後、密閉室に連設された包装材除去室で直ぐに内部の資材を無菌状態を維持したまま取出し、作業を進行させることができるため、作業効率が飛躍的に向上する効果がある。
【００２４】
また、凝縮制御手段が、凝縮液層を蒸発させ、蒸発後、除染用ガスを除染対象物の包装材外表面に再形成する構成とした場合は、凝縮液層の凝縮液がガス化して内部の資材を変質させることを防止できる効果があると共に、凝縮液層の溶質濃度が低下することを阻止し、高い除染効果を得ることができる効果もある。
【００２５】
また、ガス発生装置が、過酸化水素ガスを発生させる構成とした場合は、例えば紫外線による除染設備に比べて除染用密閉室の密閉構造が簡易となると共に、除染効果が安定する効果がある。さらに、過酸化水素ガスは、強力な除染能力を備え、かつ安価で入手し易く、環境に対して影響が少ない利点もある。
【発明を実施するための最良の形態】
【００２６】
以下に、本発明にかかる連設無菌装置１について、添付図面に従って説明する。
【００２７】
この連設無菌装置１は、図１に示されるように、室内と外界とが気密的に遮断された除染用密閉室２と、これに連設されて室内相互が連通したアイソレータ３とで構成されている。そして、除染用密閉室２で除染対象物１２を１０-3〜１０-6のＳＡＬ（無菌性保証水準）で除染した後、この除染対象物１２を外部に取出すことなく、直接アイソレータ３に移送し、アイソレータ３内で除染対象物１２について所定の作業を行うものである。なお、このアイソレータ３により、本発明にかかる包装材除去室が構成される。
【００２８】
前記除染用密閉室２の外部には、ガス発生装置４（図２参照）が備えられている。このガス発生装置４は、蒸発装置４０、液体タンク４２、及び送風機４１を具備している。前記液体タンク４２には、水より沸点の高い過酸化水素ガスが溶解した過酸化水素水が入っている。そして、かかる過酸化水素水を重力下で蒸発装置４０の加熱面（図示省略）に滴下し、これにより過酸化水素ガスを発生させ、この過酸化水素ガスを送風機４１により、除染用密閉室２内に通ずる除染ガス導入管６を介して過酸化水素ガスを室内に送り込む。なお、前記蒸発装置４０は、フラッシュ蒸発（いわゆる急速蒸発法）によりガスを発生させる構成であって、公知技術が採用される。
【００２９】
ここで、除染対象物１２は、図７に示されるように、除染済みの資材１０が無菌状態を維持したまま包装材１１により包装されてなるものであって、包装材１１外表面が除染用密閉室２で除染され、除染後にアイソレータ３にて包装材１１が除去されて資材１０が無菌状態を維持したまま取出される。なお、この資材１０としては、例えばプレフィルドシリンジに用いられる除染済みのシリンジ外筒等が挙げられる。
【００３０】
次に、連設無菌装置１の除染用密閉室２について、図２に従って説明する。
除染用密閉室２は、除染対象物１２を外部から収納可能とする収納口２０と、当該室内と連通するアイソレータ３へ移送可能とする排出口２１とを備えている。そして、収納口２０には、上下動することにより外部と室内とを遮断する収納口扉２２が配設されている。一方、排出口２１にも、収納口扉２２と同じ機構の排出口扉２３が配設されている。なお、除染用密閉室２の外壁と、各扉２２，２３の内側面との間にはパッキン（図示省略）が設けられ、両扉２２，２３を遮蔽した場合には、室内と外界とが気密状に遮断される構成となっている。この扉機構は、公知技術が好適に採用される。
【００３１】
また、除染用密閉室２の室内中央には、円柱状の移送用ローラ２５が、その長手方向と当該密閉室２の奥行き方向とが直交するように、複数列設されている。さらに詳述すると、移送用ローラ２５の配設位置は、前記収納口２０の下縁と排出口２１の下縁とを結ぶ仮想線とほぼ同じ高さに設定され、収納口２０から排出口２１にかけて所定間隔で軸支されている。これにより、収納口２１から収納された除染対象物１２が、移送用ローラ２５上を移動し、排出口２１まで容易に移送可能となる。
【００３２】
また、除染用密閉室２の室内には、外部に設けられたガス発生装置４が発生させた過酸化水素ガスを室内に放出する除染ガス放出管６ａ，６ｂが、除染用密閉室２の奥行き方向に配設されている。この除染ガス放出管６ａ，６ｂは、前記除染ガス導入管６と連通している。ここで、除染ガス放出管６ａ，６ｂは、室内の上方位置に配設された第一除染ガス放出管６ａと、室内下方位置に配設された第二除染ガス放出管６ｂとで構成されている。また、両除染ガス放出管６ａ，６ｂは、複数の放出口７が長手方向に沿って複数開口し、除染ガス導入管６から供給される過酸化水素ガスを、除染対象物１２に放出する構成としている。なお、第一、第二除染ガス放出管６ａ，６ｂに加え、室内の側方位置にも除染ガス放出管を配設し、上下左右方向から過酸化水素ガスを放出し得る構成としても良い。
【００３３】
さらに、除染用密閉室２の室内には、外部に設けられた低湿ガス投入装置５から低湿ガスが投入される。具体的には、室内に低湿ガスを放出する低湿ガス放出管８ａ，８ｂが配設されており、複数の放出口９が開口している。そして、当該放出管８ａ，８ｂと連通する低湿ガス導入管８を通じて低湿ガスが室内に供給される。なお、かかる低湿ガス放出管８ａ，８ｂも、室内の上方位置に配設された第一低湿ガス放出管８ａと、室内下方位置に配設された第二低湿ガス放出管８ｂとで構成され、室内に均一に低湿ガスが行き渡るようにしている。また、室内の側方位置にも低湿ガス放出管を配設し、上下左右方向から低湿ガスを放出し得る構成としても良い。この低湿ガスは、除染用密閉室２内で飽和しない不飽和ガスであって、室内の湿度より低い湿度に設定されている。なお、この低湿ガス投入装置により、本発明にかかる不飽和ガス投入手段が構成される。
【００３４】
さらに、除染用密閉室２は、ガス発生装置４、及び低湿ガス投入装置５と電気的に接続された中央制御装置ＣＰＵを具備する制御部２８を備え、各装置等４，５と所定のデータをやり取りし、所定の情報処理を実行するようにしている。この中央制御装置ＣＰＵの制御内容については、後述する。
【００３５】
また、除染用密閉室２の温度、湿度を検出する温度検出装置３８、湿度検出装置３９を備え、それぞれ前記中央制御装置ＣＰＵに電気的に接続されて、検出データが中央制御装置ＣＰＵに送信される構成となっている。なお、本実施形態例にかかる制御部２８、ガス発生装置４、低湿ガス投入装置５、温度検出装置３８、及び湿度検出装置３９により、本発明にかかる凝縮制御手段が構成される。
【００３６】
また、除染用密閉室２内には、エアレーション時に室内のガスを排出するためのガス排出口４３が開口し、室内のガスの過酸化水素成分が触媒４４を介して分解されてから外部に排気される構成となっている。
【００３７】
なお、除染用密閉室２の壁面には、密閉室用ガラス窓１３（図１参照）が形成されており、外部から室内内部を視認可能としている。
【００３８】
次に、除染用密閉室２と連設するアイソレータ３について、図３に従って説明する。
アイソレータ３の除染用密閉室２側の壁面には、除染用密閉室２から除染対象物１２を直接移送可能とするための連通口３３が開口し、この連通口３３と除染用密閉室２の排出口２１とが対向するように除染用密閉室２とアイソレータ３とが連設し、各室内が連通するようになっている。そして、上述の排出口扉２３が遮蔽されると、両室内が気密状に遮断される構成となっている。この除染用密閉室２とアイソレータ３との連設部は、気密的に接続されており、外部から汚染ガスが進入しないような構成となっている。かかる接続機構は、公知技術が好適に適用される。
【００３９】
また、アイソレータ３の壁面には、室内に移送されてきた除染対象物１２の包装材１１を除去するための除去手段が設けられている。具体的には、壁面にガラス窓３０が設けられ、この窓ガラス３０に形成された作業孔３１に手作業を可能とする作業グローブ３２の基端部が密閉状に取り付けられている。そして、この作業グローブ３２に手を挿入し、ガラス窓３０を介して除染対象物１２を確認しながら内部作業をすることができる。なお、アイソレータ３内の中央には、除染用密閉室２から移送されてきた除染対象物１２を置く作業台３５が配置されている。
【００４０】
次に、本発明にかかる除染方法について説明する。
まず、除染対象物１２は、除染用密閉室２の収納口２０手前側に設置された集積台３６（図１参照）上に集積される。そして、集積された除染対象物１２を、包装材１１で包装されたまま、収納口２０から所定数量だけ室内に供給して収納する。このとき、排出口扉２３は遮蔽されており、奥にあるアイソレータ３内部と外界とが連通してアイソレータ３が汚染されることを防止している。また、除染対象物１２の収納時には、除染用密閉室２内の圧力を外界に比して高圧として、収納時に収納口２０から何らかの異物が侵入するのを防止する構成とするのが好適である。
【００４１】
除染対象物１２が室内に供給されると、収納口扉２２を遮蔽して、室内と外界とを気密状に遮断する。そして次に、低湿ガスを室内に放出し、室内の除湿を行う。かかる構成とすることにより、当該室内で過酸化水素ガス濃度が高まると共に、この過酸化水素濃度が室内で安定することとなる。そして、除染用密閉室２の湿度が、所定湿度となると、低湿ガスの投入を中断し、今度は室内に過酸化水素ガスを投入開始する。
【００４２】
ここで、中央制御装置ＣＰＵは、予め定められた運転プログラムに従ってガス発生装置４を制御し、所定量の過酸化水素ガスが投入されて過酸化水素ガスの凝縮液層ｍが包装材１１外表面で形成されるようにする。さらに、包装材１１外表面で凝縮液層ｍが安定して保持される（図４参照）ようにする。これにより、包装材１１外表面が除染開始されることとなる。
【００４３】
中央制御装置ＣＰＵは、運転プログラムに従って、凝縮液層ｍを形成してから所定時間が経過すると、低湿ガス投入装置５に低湿ガス（不飽和ガス）を投入開始する信号を送信する。そして、室内に低湿ガスを投入することにより、一旦形成した凝縮液層ｍを一部蒸発させる（蒸発工程）。このとき、過酸化水素の沸点は１５０℃であって水の沸点よりも高く、凝縮液層ｍに含まれる水の方が過酸化水素水より気化しやすいため、凝縮液層ｍの過酸化水素濃度は高くなる。また、前記所定時間は、「凝縮液層ｍの凝縮液がガス化し、当該ガスが包装材を浸透し、内部の資材に達する時間」より短い時間に定められる。このように定められた時間経過後に蒸発工程を実行することにより、凝縮液層ｍの凝縮液がガス化して内部の資材１０を変質させることを防止できる。
【００４４】
さらに、この蒸発工程実行後、所定時間が経過すると、中央制御装置ＣＰＵは、運転プログラムに従って、低湿ガス投入装置５に低湿ガスの投入を停止する信号を送信すると共に、ガス発生装置４に過酸化水素ガスを投入開始する信号を送信する。そして、再度過酸化水素ガスを除染用密閉室２内で凝縮させて、包装材１１外表面に凝縮液層ｍを再形成する（再凝縮工程）。これにより、高い過酸化水素濃度の凝縮液層ｍが再形成されることとなる。そして、中央制御装置ＣＰＵが、この蒸発工程と再凝縮工程とからなる除染工程を所定回数だけ繰返し実行する自動制御を実行することにより、包装材１１内部の資材１０を変質等させることなく、高濃度の凝縮液層ｍを長時間保持して高い除染効果を得ることができる。なお、除染工程の所定回数は、包装材１１外表面１０-3〜１０-6のＳＡＬまで除染するのに必要十分な回数に設定される。
【００４５】
除染工程を実行し、除染対象物１２を除染した後は、低湿ガスを投入して、除染用密閉室２内についてエアレーションを実行する。すなわち、室内ガスをガス排出口４３から排気する。エアレーションが完了すると、排出口扉２３を開放し、除染された除染対象物１２を除染用密閉室２からアイソレータ３の作業台３５上へ移送する。そして、移送後、排出口扉２３を遮閉状態として、アイソレータ３にて、収納された除染対象物１２の包装材１１を作業グローブ３２を介して除去して、内部の資材１０を取出す。そして、このアイソレータ３で種々の作業が行われる。なお、除染対象物１２を除染用密閉室２からアイソレータ３に移送する場合は、アイソレータ３内の圧力を除染用密閉室２内の圧力より高くし、アイソレータ３に何らかの異物が入るのを防止する構成が好適である。
【００４６】
ここで、別の構成が提案される。すなわち、図５に示されるように、除染用密閉室２内にあって、ガス放出管８ａ，８ｂ等が配設されて過酸化水素ガスが放出される除染領域αと、その後段（アイソレータ３側）に形成された、エアレーション領域βとを備えた構成である。さらに詳述すると、このエアレーション領域βには、除染対象物１２の包装材１１外表面に形成された凝縮液層ｍを除去するエアレーション手段が配設されている。このエアレーション手段としては、図５に示されるように、除染用密閉室２外に設けられたホットエアー投入装置４５が発生させたホットエアーを放出するルーバー４６ａ，４６ｂが提案される。このルーバー４６ａ，４６ｂは、室内の上方位置に配設された第一ルーバー４６ａと、室内の下方位置に配設された第二ルーバー４６ｂとで構成され、移送用ローラ２５により移送されてきた除染済みの除染対象物１２外表面に、上下方向からホットエアーを噴出するものである。これにより、当該外表面に形成された凝縮液層ｍは吹き飛ばされて、除染後の除染対象物１２について凝縮液層ｍが除去されてエアレーションが完了する。
【００４７】
そして、エアレーション後、除染対象物１２が排出口２１からアイソレータ３に移送されることとなる。かかる構成とすると、除染用密閉室２全域をエアレーションしなくても良くなるため、エアレーション時間が短縮されると共に、除染対象物１２をエアレーションのために密閉室２内に一旦滞留させておく必要がなくなる。したがって、密閉室２内に除染対象物１２を順次供給し、移送用ローラ２５の回転タイミングと扉２２，２３の開閉タイミングとをこれに呼応させて、供給した数と同数をアイソレータ３に移送する工程を一連の流れで連続的に実行することが可能となる。これにより、除染時間を全体として大幅に短縮することができる。なお、別構成として、ホットエアーを噴出する構成に代えて、水蒸気を噴出する構成としても良い。かかる構成とした場合には、除染対象物１２の包装材１１外表面に、水蒸気を噴出した後、外表面に残留する過酸化水素水をマスキングし、アイソレータ３内において過酸化水素ガス濃度を見かけ上減少させる構成である。
【００４８】
さらに、その他の構成として、エアレーション手段が、図６に示されるように、ＵＶ照射装置４７ａ，４７ｂである構成が提案される。さらに詳述すると、ＵＶ照射装置４７ａ，４７ｂは、室内の上方位置に配設された第一ＵＶ照射装置４７ａと、室内の下方位置に配設された第二ＵＶ照射装置４７ｂとで構成され、移送用ローラ２５により移送されてきた除染対象物１２外表面に、上下方向から紫外線を照射し、当該外表面に形成された凝縮液層ｍを分解して、除染後の除染対象物１２についてエアレーションを実行するものである。
【００４９】
なお、上述した、ホットエアーを噴出する構成、水蒸気を噴出する構成、及び紫外線を照射する構成を様々に組み合わせた構成としても良い。
【００５０】
ところで、再度、集積台３６に集積された除染対象物１２を除染する場合には、排出口扉２３を遮蔽状態として、除染用密閉室２とアイソレータ３とを遮断した後、収納口扉２２を開放し、除染用密閉室２内に除染用対象物１２を収納するようにする。
【００５１】
また、本発明にあっては、蒸発工程で、一旦形成された凝縮液層ｍを全部蒸発させる構成としても良い。かかる構成とすると、凝縮液層ｍの過酸化水素濃度の低下を完全に阻止することができる。
【００５２】
また、蒸発工程と再凝縮工程とからなる除染工程を実行する場合の除染用ガスとしては、水より沸点の高い除染用ガスであれば好適に用いることができる。また、包装材１１外表面に凝縮液層ｍを形成して除染するための除染用ガスとしては、ホルムアルデヒド、エチレンオキサイド、過酢酸水溶液、オゾン水等の除染剤をガス化したものでも良い。
【図面の簡単な説明】
【００５３】
【図１】除染装置１の側面図である。
【図２】除染用密閉室２の縦断側面図である。
【図３】アイソレータ３の横断面図である。
【図４】包装材１１外表面に凝縮液層ｍが形成された除染対象物１２の縦断側面図である。
【図５】ホットエアーが噴出されるルーバー４６ａ，４６ｂが配設された除染用密閉室２の縦断側面図である。
【図６】ＵＶ照射装置４７ａ，４７ｂが配設された除染用密閉室２の縦断側面図である。
【図７】資材１０と包装材１１とからなる除染対象物１２の縦断側面図である。
【符号の説明】
【００５４】
１  連設無菌装置
２  除染用密閉室
３  アイソレータ
４  ガス発生装置
５  低湿ガス投入装置
１０  資材
１１  包装材
１２  除染対象物
ｍ  凝縮液層
【図１】
0004660084.tif 000002
【図２】
0004660084.tif 000003
【図３】
0004660084.tif 000004
【図４】
0004660084.tif 000005
【図５】
0004660084.tif 000006
【図６】
0004660084.tif 000007
【図７】
0004660084.tif 000008